(57)【要約】      （修正有）【課題】天井裏の天井下地の配設方向によらず、接地構造物の上面に配設されたレールと天井との間に、簡易に取り付けできる、突っ張り装置の取付構造を提供する。【解決手段】設置構造物１０の上面に、相互に略平行に、相対向するようにレール２０が配設されており、突っ張り装置Ｔは、天井、レール２０間において、レール２０のうちの１つにスライドで適宜な位置に取り付けられ、あるいは相対向するレール２０間に架け渡すように取り付けられることで、天井下地１と設置構造物１０との間に固定される。【選択図】図１
2020120865.tif 000002
【特許請求の範囲】
【請求項１】
突っ張り装置が、床に設置された設置構造物と、下方より天井で覆われた天井下地との間に介在されるように固定、取り付けされる、突っ張り装置の取付構造であって、
前記設置構造物の上面に、相互に略平行に、相対向するようにレールが配設されており、
前記突っ張り装置は、前記天井、前記レール間において、前記レールのうちの１つにスライドで適宜な位置に取り付けられ、あるいは相対向する前記レール間に架け渡すように取り付けられることで、前記天井下地と前記設置構造物との間に固定されることを特徴とする、突っ張り装置の取付構造。
【請求項２】
請求項１において、
前記突っ張り装置は、前記天井に板面が接触する板状材と、前記板状材に連結され、端部が前記レール内にて移動する棒状材と、該棒状材の前記レール側の端部を前記レールの適宜な位置で固定する固定手段とを備えたことを特徴とする、突っ張り装置の取付構造。
【請求項３】
請求項２において、
前記棒状材の前記レール側の端部にレール側ネジ部が形成されており、
前記レールは、レール溝と、該レール溝の溝開口の幅を狭める方向に突出した抜け止め片とを備えており、
前記固定手段は、前記レール側ネジ部に螺合した状態で、前記レール溝内に配される装着部材と、前記レール側ネジ部に螺合した状態で、前記装着部材との間で前記抜け止め片を挟持するレール押付部材とを備えたことを特徴とする、突っ張り装置の取付構造。
【請求項４】
請求項２または３において、
前記板状材は、前記棒状材の前記天井側の端部が挿入され、適宜な位置にスライド移動できる長穴を有していることを特徴とする、突っ張り装置の取付構造。
【請求項５】
請求項４において、
前記棒状材の前記天井側の端部には天井側ネジ部が設けられており、
前記突っ張り装置は、前記天井側ネジ部に螺合して前記板状材を下方より押圧する天井側押付部材をさらに備えたことを特徴とする、突っ張り装置の取付構造。
【発明の詳細な説明】
【技術分野】
【０００１】
本発明は、居住空間に設置された設置構造物の転倒を防止する突っ張り装置の取付構造に関する。
【背景技術】
【０００２】
従来には、この種の突っ張り装置として、設置構造物の上面にレールを設けて、レールの適宜な位置で天井に固定できるものが提案されている（例えば、特許文献１参照）。このものによれば、突っ張り装置を天井下地の位置に重なるように配することで、天井下地（野縁）の強度を利用した転倒防止構造を実現することができる。
【先行技術文献】
【特許文献】
【０００３】
【特許文献１】特開昭６０−４１９０６号公報
【発明の概要】
【発明が解決しようとする課題】
【０００４】
しかしながら、天井下地の配設方向は相直交する２通りの方向があり、上記文献のものでは、一方向に配設されている場合には対応できても、他方向に配設されている場合には対応できないおそれがある。つまり、突っ張り装置およびレールは、天井下地の配設方向に合わせて向きを定めて設置されなければならず、上記文献のものでは取り付けの利便性が良いとは言えない。
【０００５】
本発明は、このような事情を考慮して提案されたもので、その目的は、突っ張り装置を、天井、レール間に、天井裏の天井下地の配設方向によらず簡易に取り付けできる、突っ張り装置の取付構造を提供することにある。
【課題を解決するための手段】
【０００６】
上記目的を達成するために、本発明の突っ張り装置の取付構造は、突っ張り装置が、床に設置された設置構造物と、下方より天井で覆われた天井下地との間に介在されるように固定、取り付けされる、突っ張り装置の取付構造であって、前記設置構造物の上面に、相互に略平行に、相対向するようにレールが配設されており、前記突っ張り装置は、前記天井、前記レール間において、前記レールのうちの１つにスライドで適宜な位置に取り付けられ、あるいは相対向する前記レール間に架け渡すように取り付けられることで、前記天井下地と前記設置構造物との間に固定されることを特徴とする。
【発明の効果】
【０００７】
本発明は上述した構成とされているため、突っ張り装置を、天井、レール間に、天井裏の天井下地の配設方向によらず簡易に取り付けることができる。
【図面の簡単な説明】
【０００８】
【図１】本発明の一実施形態に係る、突っ張り装置の取付構造の一例を示す説明図である。（ａ）（ｂ）は同取付構造の２つの設置態様を示す模式的斜視図である。
【図２】（ａ）（ｂ）は、図１の設置態様に対応した模式的部分平面図である。
【図３】（ａ）は図２（ａ）のＡ−Ａ線に対応した縦断面図、（ｂ）は他例を示す縦断面図、（ｃ）は板状材の裏面図である。
【図４】（ａ）は、図２（ａ）のＢ−Ｂ線に対応した、棒状材のレール側の端部の固定構造を示す分解縦断面図、（ｂ）は同固定構造の縦断面図、（ｃ）は図２（ａ）のＣ−Ｃ線に対応した、棒状材のレール側の端部の固定構造を示す縦断面図である。
【図５】（ａ）は、図２（ａ）のＣ−Ｃ線に対応した、棒状材の天井側の端部の固定構造を示す分解縦断面図、（ｂ）は同固定構造の縦断面図である。
【図６】図２（ｂ）のＤ−Ｄ線に対応した縦断面図である。
【図７】（ａ）は突っ張り装置が取り付けられる設置構造物の模式的斜視図、（ｂ）は同設置構造物に設けたレールの拡大断面図、（ｃ）同レールの拡大部分平面図である。
【発明を実施するための形態】
【０００９】
以下に、本発明の実施の形態について、図１〜図７に示した図面を参照しながら説明する。
【００１０】
まず、本突っ張り装置Ｔが取り付けられる設置構造物１０について、図７を参照して説明する。設置構造物１０は、図７（ａ）に示すように、床３に設置された棚装置である。この棚装置は、床面に垂直な支柱部１１と、床面に平行な横架部１２とを組み合わせ接合した骨組状の棚とされる。支柱部１１および横架部１２のそれぞれは、図７（ｂ）の拡大断面図および図７（ｃ）の拡大部分平面図に示すような柱状材で構成されている。
【００１１】
上面の縦横に配された横架部１２のうち、一方向に配した柱状材は、本突っ張り装置Ｔが取り付けられるレール２０とされる。他の方向に配した横架部１２は短レール２５とされ、本実施形態においては突っ張り装置Ｔは取り付けられない。
【００１２】
この柱状材は、その本体２１とされる角柱材が木質材、合成樹脂材、金属材などで形成されればよく、角柱材の周囲の４面のそれぞれに、長手方向に沿ったレール溝２２が形成されている。なお、本体２１は合成樹脂材、金属材で形成されている場合は、中空材であってもよい。また、本体２１の外面には、レール溝２２の溝開口２３の幅方向の略中央が開口するように金属材、合成樹脂材などの薄板が固着されている。この薄板が抜け止め片２４を構成する。
【００１３】
設置構造物１０を成形するために、柱状材どうしが、レール溝２２と連結具（不図示）を用いて連結されればよい。また、図７（ａ）に示した設置構造物１０では、高さ方向の中ほどに棚板１３が設けられている。この棚板１３についても、レール溝２２の連結具（不図示）を用いて固定されればよい。
【００１４】
なお、突っ張り装置Ｔの取り付け対象とされる設置構造物１０は上述した骨組状の棚には限られない。また、レール２０についても、設置構造物１０の一構成部材である横架部１２で構成されたものでなくてもよく、上面に付加した他のレールであってもよい。また例えば、タンスや食器棚の上面に、相互に略平行に、相対向するように取り付けたレールであってもよい。
【００１５】
本突っ張り装置Ｔは、床３に設置された、例えば上記のような設置構造物１０と、下方より天井２（図３参照）で覆われた天井下地１（野縁）との間に介在されるように固定、取り付けされる装置である。
【００１６】
ついで、図１および図２を参照して、突っ張り装置の取付構造について説明する。なお、図１では、設置構造物１０を直方体状に簡易に示し、上面のレール２０を太線で示し、突っ張り装置Ｔを模式的に示し、野縁１を２点鎖線で示した。また図２では、突っ張り装置Ｔ（板状材３０および棒状材４０）を破線で示し、野縁１を２点鎖線で示した。なお、これらの図では天井２の図示は省略している。
【００１７】
また本実施形態では、上述したように、設置構造物１０の平面視の長手辺側のレール２０が突っ張り装置Ｔの取り付け対象のレール２０とされる。また、野縁１の間隔は３００〜３６０ｍｍとされ、長レール間の間隔は野縁１の間隔よりも大とされる。
【００１８】
突っ張り装置Ｔは、天井２に板面が接触する板状材３０と、板状材３０に連結され、端部（下端部）がレール２０内にて移動する棒状材４０とを主要部材として備えており、この主要部材が天井２、レール２０間に取り付けられる。
【００１９】
板状材３０の長さ寸法は、設置構造物１０の上面のレール２０間の長さ寸法よりも大とされ、例えば４００〜１２００ｍｍとすることが望ましい。板状材３０の幅寸法は３０〜３００ｍｍとすることが望ましい。棒状材４０は天井２、設置構造物１０間の寸法に合わせて適宜な寸法のものが用いられる。また棒状材４０は板状材３０の長手方向の両端部に２本設けることが望ましい。つまり本実施形態では、突っ張り装置Ｔは、１枚の板状材３０と、２本の棒状材４０とを含んで構成される。これら２本の棒状材４０の間隔は、板状材３０の長さ寸法との関係から、３００〜９００ｍｍとすることが望ましい。
【００２０】
突っ張り装置Ｔは、つぎの（Ａ）（Ｂ）のいずれかの設置態様にて取り付けられる。
（Ａ）１つの突っ張り装置Ｔはレール２０のうちの１つにスライドで適宜な位置に取り付けられる。
（Ｂ）１つの突っ張り装置Ｔは相対向するレール２０間に架け渡すように取り付けられる。
【００２１】
（Ａ）の設置態様は、図１（ａ）、図２（ａ）に示すように、複数本の野縁１が相互に略平行に、かつレール２０に略直交する方向に配設されている場合に選択される態様である。
【００２２】
図１（ａ）の例では、設置構造物１０には３つの突っ張り装置Ｔが配設されており、その１つずつが１つのレール２０に沿うように配されている。突っ張り装置Ｔは、レール２０上の長手方向の適宜な位置に配設されることが可能とされ、図１（ａ）では平面視で板状材３０が野縁１と交差して重なるような適宜な位置に配設されている。つまり、２つの棒状材４０はいずれも、その下側の端部がレール２０のレール溝２２に配され、板状材３０は天井２に接触するように配され、そうして突っ張り装置Ｔはレール２０、天井２間に固定される。
【００２３】
（Ｂ）の設置態様は、図１（ｂ）、図２（ｂ）に示すように、複数本の野縁１が相互に略平行に、かつ設置構造物１０の長手辺側のレール２０に略平行に配設されている場合に選択される態様である。この設置態様では、突っ張り装置Ｔの１つずつが２本のレール２０に架け渡されるように配される。
【００２４】
図１（ｂ）の例では、設置構造物１０には３つの突っ張り装置Ｔが略平行に配設されており、その１つずつが２本のレール２０間に架け渡されるように配されている。野縁１がレール２０に略平行に配設されているため、平面視で突っ張り装置Ｔの板状材３０は野縁１と直交するように重なる。なお、突っ張り装置Ｔは架け渡して配設されるため必ず野縁１とは交差する。そのため、架け渡し位置は任意の位置でよく、野縁１との位置関係を定めるために棒状材４０をレール内でスライド調整をしなくてもよい。
【００２５】
以上の（Ａ）（Ｂ）の設置態様は、突っ張り装置Ｔを取り付ける際に、野縁１の配設方向を確認したうえで、選択されればよい。ようするに、上記のような寸法関係であれば、野縁１の正確な位置を確認しなくても、配設方向を確認するだけで、野縁１の強度を利用した転倒防止用の突っ張り装置Ｔの取り付けを、簡易に実施することができる。
【００２６】
つぎに、上記（Ａ）の場合の突っ張り装置Ｔの設置態様の詳細について、図１（ａ）、図２（ａ）および図３〜図５を参照しながら説明する。
【００２７】
図３（ａ）は図２（ａ）のＡ−Ａ線に対応した縦断面図、図３（ｂ）は他例を示す縦断面図、図３（ｃ）は板状材３０の裏面図である。また、図４（ａ）は図２（ａ）のＢ−Ｂ線に対応した、棒状材４０のレール２０側の端部の固定構造を示す分解縦断面図、図４（ｂ）は同固定構造の縦断面図である。図４（ｃ）は図２（ａ）のＣ−Ｃ線に対応した、棒状材４０のレール２０側の端部の固定構造を示す縦断面図である。図５（ａ）は図２（ａ）のＣ−Ｃ線に対応した、棒状材４０の天井２側の端部の固定構造を示す分解縦断面図、図５（ｂ）は同固定構造の縦断面図である。
【００２８】
突っ張り装置Ｔは、図３（ａ）（ｂ）に示すように、棒状材４０が板状材３０と、１本のレール２０との間で突っ張るように固定される。図３（ａ）は図２の例に対応した図であり、板状材３０は２本の野縁１と平面視で交差するように重なっており、その交差部のそれぞれの真下に棒状材４０が下方に延びるように配されている。板状材３０の長手方向の寸法が野縁１間隔よりも大とされるため、図例のように棒状材４０を交差部に配することができる。
【００２９】
板状材３０は、本実施形態の例では、金属、合成樹脂などよりなる硬質板材３２と、ゴムなどよりなるクッション材３５との重合材により構成されている。これらは、あらかじめ重合固着されていることが望ましい。
【００３０】
また、硬質板材３２には、長手方向に沿って３つの長孔３３が直線的に延びるように開設されており、クッション材３５が固着された状態では、図３（ｃ）に示すように、底部を有した長穴３１が裏面側に表れる。この長穴３１はその長手方向の適所に棒状材４０を差し込むことができるようになっている。なお、硬質板材３２の長孔３３は長手方向の端部から他の端部に延びた１つのものであってもよいが、硬質板材３２の強度保持のため図例のような非開口部３４を介して複数の長孔３３を設けることが望ましい。
【００３１】
このように、板状材３０に対する棒状材４０の取り付け位置は、板状材３０の長手方向において可変とされているため、２本の棒状材４０を３つの長穴３１の適宜な位置に配することができる。棒状材４０の下端部（レール２０側の端部）については、取り付け対象がレール溝２２であるから、当然に可変位置に配することができる。
【００３２】
このように突っ張り装置Ｔの棒状材４０の位置については、下端部ではレール溝２２でのスライドにより位置の調整ができ、上端部では板状材３０の長穴３１の長手方向の範囲内で位置の調整ができる。このような位置調整を野縁１間隔に合わせて行えば、図３（ａ）に示した適切な位置に突っ張り装置Ｔを配することができる。
【００３３】
また、板状材３０の長さ寸法が本実施形態のように野縁１間隔よりも長くしたものであれば、図３（ａ）に示すように、２本の野縁１に対して突っ張り装置Ｔを取り付けることができる。この場合には、棒状材４０の位置が交差部の真下でなくてもよく、例えば１本の棒状材４０を図３（ａ）の２点鎖線で示した位置に配してもよく、その場合でも、野縁１の強度を利用した突っ張り装置Ｔの取り付けができる。
【００３４】
さらに、図３（ｂ）のように、板状材３０が１本の野縁１にしか重ならない場合でも、２本の棒状材４０を図例のように野縁１の両外側に設ければ、野縁１の強度を利用した突っ張り装置Ｔの取り付けができる。もちろん、棒状材４０を図３（ｂ）の２点鎖線で示した交差部の真下に配するようにしてもよい。
【００３５】
なお、棒状材４０は２本には限られない。１枚の板状材３０に対し、３本以上の棒状材４０（例えば図３（ａ）（ｂ）のように、２点鎖線のものを含め３本の棒状材４０）を有する突っ張り装置Ｔであってもよい。
【００３６】
以上のようにして棒状材４０の位置を種々調整したのちには、突っ張り装置Ｔを天井２、設置構造物１０（レール２０）間に突っ張らせて挟着固定することができる。突っ張り装置Ｔを突っ張らせるためには、棒状材４０の下端部および上端部のそれぞれを以下に説明するように固定すればよい。
【００３７】
棒状材４０は、下端部にレール側ネジ部４１が形成され、上端部に天井側ネジ部４２が形成され、それらを用いた螺合により上下で固定される構成とされている。以下、それぞれの固定態様について説明する。
【００３８】
棒状材４０の下端部については固定手段４５により固定される。図２の例では、レール溝２２内に配される装着部材５０と、レール押付部材６０とよりなる固定手段４５が用いられる。この固定手段４５について、図４を参照しながら説明する。
【００３９】
装着部材５０は、金属、合成樹脂などで、レール溝２２の断面形状におおむね合致した直方体形状に形成されており、上面側には上下方向に延びる、底部５２を有した雌ネジ凹部５１が形成されている。また、レール押付部材６０は金属、合成樹脂などで円錐台形状に形成されており、平面中央に上下方向に貫通する雌ネジ孔６１が開設されている。
【００４０】
装着部材５０は、雌ネジ凹部５１の開口が上方を向いた状態でレール溝２２内の適宜な位置に配されればよい。装着部材５０はレール２０の長手方向の端部開口より装着されればよく、いったん装着されれば、抜け止め片２４によりレール溝２２の溝開口２３からは抜け出るおそれがない。
【００４１】
この装着部材５０と、レール２０の上面に配されたレール押付部材６０とに対し、棒状材４０のレール側ネジ部４１が、レール押付部材６０、装着部材５０のそれぞれの雌ネジに螺合して３部材は連結される。棒状材４０の下端が雌ネジ凹部５１の底部５２に当接するようにレール押付部材６０を回転操作して螺着させれば、レール２０の抜け止め片２４が装着部材５０とレール押付部材６０との間にしっかりと挟持され、棒状材４０はレール２０に対し固定される。
【００４２】
螺合を弛めた状態では、図３（ｃ）に示すように、連結された３部材をレール２０の長手方向（白抜き矢印方向）の、野縁１との位置関係において適切な位置にスライド移動させることができる。位置が確定したのちに、レール押付部材６０をさらに回転操作してしっかりと固定すればよい。
【００４３】
このように、棒状材４０、装着部材５０およびレール押付部材６０の３部材は、それらの螺合により、それらを抜け止め片２４に固定できる構造であるため、棒状材４０の下端部はレール２０の所望の位置に固定される。
【００４４】
なお、棒状材４０をレール２０に装着、固定しやすくするためには、あらかじめ棒状材４０とレール押付部材６０とを、棒状材４０の下端がレール押付部材６０の底面側より突出した状態に螺合、合体しておけばよい。そうして、棒状材４０の突出部を装着部材５０の雌ネジ凹部５１に装着するように作業すればよい。さらに、この棒状材４０のレール２０への取り付けは、上端部を天井２に配した板状材３０に対し押圧させた状態にしてから行うことが望ましい。
【００４５】
つぎに、棒状材４０の上端部の固定態様について、図５を参照しながら説明する。
【００４６】
棒状材４０の上端部の固定は、天井側押付部材６５を用いてなされる。天井側押付部材６５は、レール押付部材６０と同形状とされ、レール押付部材６０を天地を逆にして用いることができる。すなわち、天井側押付部材６５は金属、合成樹脂などで円錐台形状に形成され、中央に上下方向に貫通する雌ネジ孔６６が開設されており、その円錐台を天地を逆にして配される。
【００４７】
棒状材４０の上端部は、図５（ａ）（ｂ）に示すように、天井側ネジ部４２を螺合させた天井側押付部材６５で、天井２に配した板状材３０を下方より押圧するようにして固定される。このとき棒状材４０の上端は天井側押付部材６５の上面から突出し、板状材３０の長穴３１に配されている。
【００４８】
図５（ｂ）に示した固定状態は、棒状材４０の下端部が図４（ｂ）（ｃ）のようにレール２０に固定されたときの状態とされる。
【００４９】
このように、棒状材４０の上端部についても、天井側押付部材６５により、板状材３０とともに天井２に固定することができる。なお、板状材３０は配設位置が定まれば、接着剤などで天井２に仮止めしてから、棒状材４０の取り付け作業をしてもよい。
【００５０】
このようにして、突っ張り装置Ｔは天井２、レール２０間に固定され、野縁１と設置構造物１０との間に挟着された状態に固定される。
【００５１】
突っ張り装置Ｔの天井２、レール２０間への取り付けは、まず棒状材４０の上端部で板状材３０（のクッション材３５）を押圧した状態にしてから、下端部をレール２０に固定し、その後、上端部を天井２に固定することでスムーズに実施できる。
【００５２】
このような手順で作業すれば、棒状材４０の下端部をレール２０に固定すれば、上端部の板状材３０への押圧は弛む。その後、棒状材４０の上端部の固定操作をすることで棒状材４０は下方に移動するように作用するとともに、天井側押付部材６５が板状材３０を押圧し、それにより棒状材４０は上下においてしっかりと固定されることとなる。
【００５３】
また、棒状材４０の上端は板状材３０の厚さ内に配されればよいため、棒状材４０は、その上端が板状材３０の厚さ内に収まるような長さ寸法とすればよく、よって棒状材４０の長さ寸法については多少の誤差が許容される。
【００５４】
つぎに、上記（Ｂ）の設置態様の場合の突っ張り装置Ｔについて、図１（ｂ）、図２（ｂ）および図６を参照しながら説明する。図６は図２（ｂ）のＤ−Ｄ線に対応した縦断面図である。
【００５５】
この設置態様では、図６に示すように、棒状材４０が板状材３０と、２本のレール２０との間で突っ張るように固定される。（Ｂ）の設置態様でも突っ張り装置Ｔは（Ａ）の場合と同一のものが用いられるが、２本の棒状材４０の板状材３０に対する配設位置が可変であるから、２本の棒状材４０の位置については、２本のレール２０に合わせて調整すればよい。なお、棒状材４０の上端部、下端部の固定は（Ａ）の場合と同様とされ、それらについては説明を割愛する。
【００５６】
また、図２（ｂ）のようにレール２０が野縁１に平行に配され、かつ、レール２０と野縁１が平面視で重なっている場合には、突っ張り装置Ｔを図２（ｂ）の２点鎖線で示す位置に配するようにしてもよい。
【００５７】
以上には、設置態様等に応じて棒状材４０の間隔を可変とした突っ張り装置Ｔを例示したが、野縁１やレール２０の寸法関係によっては、棒状材４０の間隔が調整できないものであってもよい。つまり、棒状材４０が板状材３０の特定の位置に固定されるものであってもよい。また、板状材３０に代えた天井受け部と、棒状材４０に代えた脚部とを一体に有した突っ張り装置を用いてもよい。
【００５８】
また、上記実施形態では、設置構造物１０の上面に設けた２本の長レールを突っ張り装置Ｔの取り付け対象であるレール２０としたが、相対向する２本の短レール２５に突っ張り装置Ｔを取り付けるようにしてもよい。
【符号の説明】
【００５９】
１          天井下地（野縁）
２          天井
３          床
１０        設置構造物
２０        レール（長レール）
２２        レール溝
２３        溝開口
２４        抜け止め片
Ｔ          突っ張り装置
３０        板状材
３１        長穴
４０        棒状材
４１        レール側ネジ部
４２        天井側ネジ部
４５        固定手段
５０        装着部材
６０        レール押付部材
６５        天井側押付部材
【図１】
2020120865.tif 000003
【図２】
2020120865.tif 000004
【図３】
2020120865.tif 000005
【図４】
2020120865.tif 000006
【図５】
2020120865.tif 000007
【図６】
2020120865.tif 000008
【図７】
2020120865.tif 000009